(57)【特許請求の範囲】
【請求項１】
搬送媒体を少なくとも搬送するための搬送装置であって、前記搬送装置は、少なくとも１つの第１の搬送スペース（１２ｂ）、少なくとも１つの第２の搬送スペース（１４ｂ）、少なくとも前記第１の搬送スペース（１２ｂ）の境界を定める１つの弾性変形可能な搬送要素（１６ｂ）、少なくとも１つの第３の搬送スペース（１８ｂ）を有し、少なくとも前記弾性変形可能な搬送要素（１６ｂ）はばね弾性であり、前記第１の搬送スペース（１２ｂ）、前記第２の搬送スペース（１４ｂ）、および前記第３の搬送スペース（１８ｂ）の各々は互いに離間しており、前記第１の搬送スペース（１２ｂ）、前記第２の搬送スペース（１４ｂ）、および前記第３の搬送スペース（１８ｂ）は、前記弾性変形可能な搬送要素（１６ｂ）によって搬送媒体が別個に搬送されるように流れに関して互いに接続されておらず、前記弾性変形可能な搬送要素（１６ｂ）は、変形後に、凸状に湾曲した元の形状に自然に戻ろうとするように構成されており、また、剛性の搬送スペース要素（２０ｂ）を有し、前記剛性の搬送スペース要素（２０ｂ）は、前記弾性変形可能な搬送要素（１６ｂ）とともに、前記第１の搬送スペース（１２ｂ）、前記第２の搬送スペース（１４ｂ）、および前記第３の搬送スペース（１８ｂ）の境界を定め、前記弾性変形可能な搬送要素（１６ｂ）は非搬送状態において前記剛性の搬送スペース要素（２０ｂ）上に凸状に湾曲して配置され、
前記剛性の搬送スペース要素（２０ｂ）は、前記第１の搬送スペース（１２ｂ）、前記第２の搬送スペース（１４ｂ）、および前記第３の搬送スペース（１８ｂ）を少なくとも部分的に形成するために、少なくとも１つの窪んだ凹部（９４ｂ）を有し、前記剛性の搬送スペース要素（２０ｂ）の内側面は、前記窪んだ凹部（９４ｂ）を形成するとともに、前記第１の搬送スペース（１２ｂ）、前記第２の搬送スペース（１４ｂ）、および前記第３の搬送スペース（１８ｂ）の壁を形成し、搬送媒体を搬送するために、前記弾性変形可能な搬送要素（１６ｂ）は、前記剛性の搬送スペース要素（２０ｂ）とは反対の方向に向く元の凸状の湾曲形状から、前記剛性の搬送スペース要素（２０ｂ）に向かって弾性変形可能であり、かつ、前記剛性の搬送スペース要素（２０ｂ）の前記窪んだ凹部（９４ｂ）の中へ少なくとも部分的に移動可能であることを特徴とする、搬送装置。
【請求項２】
前記第１の搬送スペース（１２ｂ）は、前記第２の搬送スペース（１４ｂ）の最大容積とは異なるか、前記第３の搬送スペース（１８ｂ）の最大容積とは異なるか、あるいはいずれの最大容積とも異なる最大容積を有することを特徴とする、請求項１に記載の搬送装置。
【請求項３】
少なくとも前記第１の搬送スペース（１２ｂ）は、少なくとも２個の搬送スペース入口（２２ｂ、２４ｂ）を含むことを特徴とする、請求項１または２に記載の搬送装置。
【請求項４】
請求項１〜３のいずれか一項に記載の少なくとも１つの搬送装置、および、前記搬送装置を駆動する少なくとも１つの駆動ユニット（３８ｂ）を有するポンプ装置であって、前記駆動ユニット（３８ｂ）は、少なくとも前記第１の搬送スペース（１２ｂ）、前記第２の搬送スペース（１４ｂ）および前記第３の搬送スペース（１８ｂ）によって少なくとも部分的に包囲される少なくとも１つの駆動要素（４０ｂ）を含み、
前記弾性変形可能な搬送要素（１６ｂ）は、進行波の原理に従って搬送媒体の搬送を可能にするように、前記駆動ユニット（３８ｂ）によって駆動可能であることを特徴とする、ポンプ装置。
【請求項５】
前記駆動ユニット（３８ｂ）は、らせん駆動ユニットまたは偏心駆動ユニットとして実現されることを特徴とする、請求項４に記載のポンプ装置。
【請求項６】
搬送媒体を搬送するための搬送装置であって、前記搬送装置は、
少なくとも１つの第１の搬送スペース（１２ａ）および前記第１の搬送スペース（１２ａ）の境界を定める少なくとも１つの第１の弾性変形可能な搬送要素（１６ａ）、
少なくとも１つの第２の搬送スペース（１４ａ）および前記第２の搬送スペース（１４ａ）の境界を定める少なくとも１つの第２の弾性変形可能な搬送要素（４２ａ）、
少なくとも１つの第３の搬送スペース（１８ａ）および前記第３の搬送スペース（１８ａ）の境界を定める少なくとも１つの第３の弾性変形可能な搬送要素（４４ａ）、
前記第１の弾性変形可能な搬送要素（１６ａ）とともに前記第１の搬送スペース（１２ａ）の境界を定める少なくとも１つの第１の剛性の搬送スペース要素（２０ａ）、
前記第２の弾性変形可能な搬送要素（４２ａ）とともに前記第２の搬送スペース（１４ａ）の境界を定める少なくとも１つの第２の剛性の搬送スペース要素（８４ａ）、
前記第３の弾性変形可能な搬送要素（４４ａ）とともに前記第３の搬送スペース（１８ａ）の境界を定める少なくとも１つの第３の剛性の搬送スペース要素（８６ａ）
を有し、
前記第１の弾性変形可能な搬送要素（１６ａ）、前記第２の弾性変形可能な搬送要素（４２ａ）、および前記第３の弾性変形可能な搬送要素（４４ａ）はばね弾性であり、
前記第１の搬送スペース（１２ａ）、前記第２の搬送スペース（１４ａ）、および前記第３の搬送スペース（１８ａ）の各々は互いに離間しており、前記第１の搬送スペース（１２ａ）、前記第２の搬送スペース（１４ａ）、および前記第３の搬送スペース（１８ａ）は、搬送媒体が別個に搬送されるように流れに関して互いに接続されておらず、
前記第１の弾性変形可能な搬送要素（１６ａ）は非搬送状態において前記第１の剛性の搬送スペース要素（２０ａ）上に凸状に湾曲して配置され、前記第１の弾性変形可能な搬送要素（１６ａ）は、変形後に、凸状に湾曲した元の形状に自然に戻ろうとするように構成されており、
前記第２の弾性変形可能な搬送要素（４２ａ）は非搬送状態において前記第２の剛性の搬送スペース要素（８４ａ）上に凸状に湾曲して配置され、前記第２の弾性変形可能な搬送要素（４２ａ）は、変形後に、凸状に湾曲した元の形状に自然に戻ろうとするように構成されており、
前記第３の弾性変形可能な搬送要素（４４ａ）は非搬送状態において前記第３の剛性の搬送スペース要素（８６ａ）上に凸状に湾曲して配置され、前記第３の弾性変形可能な搬送要素（４４ａ）は、変形後に、凸状に湾曲した元の形状に自然に戻ろうとするように構成されており、
前記第１の剛性の搬送スペース要素（２０ａ）は、前記第１の搬送スペース（１２ａ）を少なくとも部分的に形成するために、窪んだ凹部（９４ａ）を有し、前記第１の剛性の搬送スペース要素（２０ａ）の内側面は、前記窪んだ凹部（９４ａ）の境界を定めるとともに、前記第１の搬送スペース（１２ａ）の壁を形成し、搬送媒体を搬送するために、前記第１の弾性変形可能な搬送要素（１６ａ）は、前記第１の剛性の搬送スペース要素（２０ａ）とは反対の方向に向く元の凸状の湾曲形状から、前記第１の剛性の搬送スペース要素（２０ａ）に向かって弾性変形可能であり、かつ、前記第１の剛性の搬送スペース要素（２０ａ）の前記窪んだ凹部（９４ａ）の中へ少なくとも部分的に移動可能であり、
前記第２の剛性の搬送スペース要素（８４ａ）は、前記第２の搬送スペース（１４ａ）を少なくとも部分的に形成するために、窪んだ凹部を有し、前記第２の剛性の搬送スペース要素（８４ａ）の内側面は、前記窪んだ凹部の境界を定めるとともに、前記第２の搬送スペース（１４ａ）の壁を形成し、搬送媒体を搬送するために、前記第２の弾性変形可能な搬送要素（４２ａ）は、前記第２の剛性の搬送スペース要素（８４ａ）とは反対の方向に向く元の凸状の湾曲形状から、前記第２の剛性の搬送スペース要素（８４ａ）に向かって弾性変形可能であり、かつ、前記第２の剛性の搬送スペース要素（８４ａ）の前記窪んだ凹部の中へ少なくとも部分的に移動可能であり、
前記第３の剛性の搬送スペース要素（８６ａ）は、前記第３の搬送スペース（１８ａ）を少なくとも部分的に形成するために、窪んだ凹部を有し、前記第３の剛性の搬送スペース要素（８６ａ）の内側面は、前記窪んだ凹部の境界を定めるとともに、前記第３の搬送スペース（１８ａ）の壁を形成し、搬送媒体を搬送するために、前記第３の弾性変形可能な搬送要素（４４ａ）は、前記第３の剛性の搬送スペース要素（８６ａ）とは反対の方向に向く元の凸状の湾曲形状から、前記第３の剛性の搬送スペース要素（８６ａ）に向かって弾性変形可能であり、かつ、前記第３の剛性の搬送スペース要素（８６ａ）の前記窪んだ凹部の中へ少なくとも部分的に移動可能であることを特徴とする、搬送装置。
【請求項７】
請求項６に記載の少なくとも１つの搬送装置、および、前記搬送装置を駆動する少なくとも１つの駆動ユニット（３８ａ）を有するポンプ装置であって、前記駆動ユニット（３８ａ）は、少なくとも前記第１の搬送スペース（１２ａ）、前記第２の搬送スペース（１４ａ）および前記第３の搬送スペース（１８ａ）によって少なくとも部分的に包囲される駆動要素（４０ａ）を含み、
前記第１の弾性変形可能な搬送要素（１６ａ）、前記第２の弾性変形可能な搬送要素（４２ａ）、および前記第３の弾性変形可能な搬送要素（４４ａ）は、進行波の原理に従って搬送媒体の搬送を可能にするように、前記駆動ユニット（３８ａ）によって駆動可能であることを特徴とする、ポンプ装置。
【請求項８】
前記駆動要素（４０ａ）は、前記第１の搬送スペース（１２ａ）に割り当てられる前記搬送装置の前記第１の弾性変形可能な搬送要素（１６ａ）、前記第２の搬送スペース（１４ａ）に割り当てられる前記搬送装置の前記第２の弾性変形可能な搬送要素（４２ａ）、および、前記第３の搬送スペース（１８ａ）に割り当てられる前記搬送装置の前記第３の弾性変形可能な搬送要素（４４ａ）を駆動するように構成されていることを特徴とする、請求項７に記載のポンプ装置。
【発明の詳細な説明】
【技術分野】
【０００１】
本発明は、請求項１の前提部に記載の搬送装置に関する。
【背景技術】
【０００２】
特許文献１は、搬送媒体を少なくとも搬送するための搬送装置を既に開示しており、この搬送装置は、第１の搬送スペース、第２の搬送スペース、および、第１の搬送スペースの境界を定める弾性変形可能な搬送要素を含む。
【０００３】
さらに、特許文献２、特許文献３および特許文献４は、搬送媒体を少なくとも搬送するための搬送装置を既に開示しており、この搬送装置は、第１の搬送スペース、第２の搬送スペース、および、第１の搬送スペースの境界を定める弾性変形可能な搬送要素を含む。搬送装置は、少なくとも１つの第３の搬送スペースをさらに含む。
【先行技術文献】
【特許文献】
【０００４】
【特許文献１】欧州特許第１３１７６２６号明細書
【特許文献２】独国特許出願公開第１０２００７０３４１２５号明細書
【特許文献３】米国特許第３２２９６４３号明細書
【特許文献４】国際公開第２００７／０５１４５４号
【発明の概要】
【発明が解決しようとする課題】
【０００５】
本発明の目的は、使用の分野および搬送性能、あるいは使用の分野または搬送性能について高い可変性に関して改善された特性を有する、個々の搬送スペースおよび／または搬送要素によって異なる流体を低い負荷で搬送できるようにすることを目的とした包括的な装置を特に提供することである。この目的は、本発明に従って、特許請求項１の特徴によって達成され、一方で、本発明の有利な実施形態および改良形態は、従属項から明らかとなる。
【課題を解決するための手段】
【０００６】
本発明は、搬送媒体を少なくとも搬送するための搬送装置であって、少なくとも１つの第１の搬送スペース、少なくとも１つの第２の搬送スペース、および、少なくとも第１の搬送スペースの境界を定める少なくとも１つの弾性変形可能な搬送要素、少なくとも１つの第３の搬送スペースを有し、第１の搬送スペース、第２の搬送スペース、および第３の搬送スペースの各々は互いに離間しており、搬送要素は、変形後に、凸状に湾曲した基本形状に自然に戻ろうとするように構成されており、また、少なくとも１つの剛性の搬送スペース要素を有し、該剛性の搬送スペース要素は、搬送要素とともに、第１の搬送スペース、第２の搬送スペース、および第３の搬送スペースの少なくともいずれかの境界を定め、搬送要素は非搬送状態において搬送スペース要素上に凸状に湾曲して配置された搬送装置に基づく。
【０００７】
搬送スペース要素は、第１の搬送スペース、第２の搬送スペース、および第３の搬送スペースの少なくともいずれかを少なくとも部分的に形成するために、少なくとも１つの窪んだ凹部を有し、搬送スペース要素の内側面は、窪んだ要素の境界を定めるとともに、第１の搬送スペース、第２の搬送スペース、および第３の搬送スペースの少なくともいずれかの壁を形成し、搬送媒体を搬送するために、搬送要素は、搬送スペース要素とは反対の方向に向く凸状の湾曲から、搬送スペース要素に向かって弾性変形可能であり、かつ、搬送スペース要素の窪んだ凹部の中へ少なくとも部分的に移動可能であることが提案される。搬送装置は好ましくは、医療分野における使用のために提供される。しかし、搬送装置を、他の分野、例えば食品分野、化学分野、医薬品分野における使用のために、特に、生態動物園の分野（水族館等）、家庭電化製品分野、歯科衛生分野等におけるバッチ適合使用のために提供することも考えられる。「提供される」という表現は、特に、特別に設計されるおよび特別に備え付けられる、あるいは設計されるまたは特別に備え付けられることを意味するものと理解されるべきである。要素およびユニット、あるいは要素またはユニットが特定の機能のために提供されるという記述は、特に、要素およびユニット、あるいは要素またはユニットが、少なくとも１つの使用および動作状態、あるいは使用または動作状態において上記特定の機能を果たすおよび行う、あるいは果たすまたは行うことを意味するものと理解されるべきである。
【０００８】
本明細書において、「剛性であるように具現される」という表現は、特に、要素が少なくとも実質的に硬く、不動および非弾性形態である、あるいは不動または非弾性形態である要素の一実施形態を規定することが意図される。搬送スペース要素はしたがって、好ましくは、搬送媒体を搬送するために、形状に関して少なくとも実質的に、特に全体的に変わらないままであるように提供される。
【０００９】
搬送要素は好ましくは、搬送媒体、特に流体を搬送するために変形、特に弾性変形するように提供される。搬送要素は好ましくは、搬送要素の変形の結果として、搬送媒体を、第１の搬送スペース、第２の搬送スペースおよび／または第３の搬送スペースから、ならびに／または、第１の搬送スペース、第２の搬送スペースおよび／または第３の搬送スペースを通して搬送することを可能にするように提供される。搬送媒体の動的な搬送すなわち変位作用による搬送媒体の搬送を実現することが有利に可能である。変位作用によって搬送媒体を搬送するために、搬送要素は好ましくは、変形の結果として、搬送装置、特に搬送装置の搬送スペース要素の凹部の境界を定める内側面に対して少なくとも部分的に直接的に当接されることができる。搬送要素は好ましくは、ダイアフラムポンプ要素、特に屈曲的に剛性のダイアフラムポンプ要素の形態である。搬送要素は好ましくは、蠕動ポンプ要素、特に蠕動ポンプ装置の弾性ホースとは異なるように形成される。
【００１０】
ここで、「搬送スペース」という表現は、少なくとも弾性変形可能な搬送要素、および、剛性であるように具現される搬送スペース要素によって境界を定められるとともに、少なくとも、搬送するための搬送媒体がスペース内に通って導入されることができるスペースの入口から、搬送するための搬送媒体がスペースから通って排出されることができるスペースの少なくとも１つの出口まで、特に搬送要素と搬送スペース要素との間に延びるスペースを特に規定する。搬送スペースが、少なくとも搬送スペースの搬送スペース入口から、搬送スペースの搬送スペース出口まで、搬送要素と搬送スペース要素との間で、延びていることが好ましい。
【００１１】
弾性変形可能な搬送要素は好ましくは、少なくとも１つの縁領域を封止するために提供され、少なくとも１つの縁領域は、特に、少なくとも搬送要素が搬送スペース要素に配置される状態において、剛性であるように具現される搬送スペース要素の第１の搬送スペースの境界を定める。弾性変形可能な搬送要素は好ましくは、搬送スペース要素の、搬送スペースの境界を定める少なくとも１つの縁領域を封止することができるように、剛性であるように具現される搬送スペース要素に配置されることができる。搬送スペース要素の、第１の搬送スペースの境界を定める少なくとも１つの縁領域を封止することは、搬送要素によって直接的に実現することができる。しかし、代替的にまたは付加的に、搬送要素と搬送スペース要素との間、特に、搬送スペース要素の、第１の搬送スペースの境界を定める少なくとも１つの縁領域に配置されることができる搬送装置のシール要素を提供することも考えられる。搬送装置のシール要素は、ゴムシールとして、シールコードとして、シールリップとして、可撓性のシール化合物として、繊維シールとして、紙シールとしてといった具合に形成することができる。
【００１２】
搬送装置は好ましくは、搬送媒体、特に流体を貯蔵する少なくとも１つの搬送媒体貯蔵ユニットを備える。本明細書では、「搬送媒体貯蔵ユニット」は、特に、搬送媒体、特に流体を貯蔵することができる少なくとも１つの貯蔵スペースを有するユニットを意味するものと理解されるべきである。搬送媒体貯蔵ユニットの貯蔵スペースの容積は好ましくは、第１の搬送スペースの容積、第２の搬送スペースの容積および／または第３の搬送スペースの容積よりも少なくとも大きい。搬送媒体貯蔵ユニットは好ましくは、タンクのように形成される。本明細書では、搬送媒体貯蔵ユニットは、カープル（Ｋａｒｐｕｌｅ）、アンプルまたはカートリッジ等の形態であるものとすることができる。搬送媒体貯蔵ユニットは好ましくは、流れに関して、第１の搬送スペース、第２の搬送スペースおよび／または第３の搬送スペースに接続される。搬送媒体貯蔵ユニットの出口が、搬送装置のダクトによって、第１の搬送スペース、第２の搬送スペースおよび／または第３の搬送スペースの搬送スペース入口に接続され、特に流体密に接続されることが好ましい。搬送媒体貯蔵ユニットの貯蔵スペースに貯蔵される搬送媒体はしたがって、有利には、搬送要素および搬送スペース要素の相互作用によって、貯蔵スペースから搬送されることができる。
【００１３】
「ばね弾性」という表現は、要素、特に搬送要素の特性を意味するものと理解されるべきであり、この特性は、要素の形状の変化に応じ、好ましくはその変化に比例するとともにその変化に反作用する、対抗する力を特に生成するために提供される。搬送要素は好ましくは、搬送要素が機械的に損傷を受けるかまたは破壊されることなく繰り返し変形可能である。搬送要素のばね弾性形態は好ましくは、搬送スペース要素上の凸状の配置によって少なくとも部分的に影響を受け、および実現される、あるいは部分的に影響を受け、または実現されることができる。搬送要素は好ましくは、搬送要素が内方に膨らむ結果として、搬送媒体が搬送スペース内におよび搬送スペースを通して、あるいは搬送スペース内にまたは搬送スペースを通して搬送されるように、搬送スペース要素に配置される。搬送媒体を搬送するための搬送要素への駆動力の作用の排除後に、搬送要素は好ましくは、特にばね弾性形態のために、少なくとも実質的に搬送スペース要素上の凸状に湾曲した配置に自然に戻ろうとする。搬送要素は好ましくは、ばね鋼または繊維複合材料から製造される。しかし、搬送要素を、当業者にとって好都合に思われるとともに、搬送要素のばね弾性形態を可能にする何らかの他の材料から製造することも考えられる。搬送要素は好ましくは、搬送媒体を搬送スペース内におよび搬送スペースを通して、あるいは搬送スペース内にまたは搬送スペースを通して搬送するために「膨らみ効果」を利用する。搬送要素は好ましくは、搬送媒体の搬送のために、少なくとも一時的に内方に膨らむことができ、少なくとも１つの膨らみは、搬送媒体を搬送する目的で、搬送要素の長手方向軸に沿って変位可能である。搬送要素は好ましくは、寸法的に安定した形態である。本明細書では、「寸法的に安定した」とは、搬送要素が好ましくは、圧力、熱等に対して形状に関して弾性的であるように形成されることを意味するものと理解されるべきである。
【００１４】
本発明による実施形態によって、使用の分野についておよび搬送装置の搬送性能について、あるいは使用の分野についてまたは搬送装置の搬送性能について高い可変性を実現することが有利に可能である。さらに、異なる搬送媒体を、特に流れに関して互いに接続されない異なる容器から搬送装置によって搬送することが有利に可能である。搬送装置はしたがって、有利には、異なる搬送媒体を混合および投与、あるいは混合または投与するために使用することができる。したがって、本発明による搬送装置が適している広い使用範囲をカバーすることが有利に可能である。個々の搬送スペースの制御に依存した方法で、個々の搬送スペースによって交互に搬送する場合に、個々の搬送スペースを通した単一の搬送媒体の搬送中に、単一の搬送スペースに対する低い負荷を実現することがさらに有利に可能である。したがって、搬送装置の長い耐用年数を達成することが有利に可能である。さらに、本発明による実施形態によって、搬送媒体の効率的な搬送を、特に少数の構成要素で可能にすることが有利に可能である。搬送要素の内部応力、特に内部の機械的な応力を、搬送媒体の搬送のために使用することがさらに有利に可能である。
【００１５】
第１の搬送スペースが、第２の搬送スペースの最大容積とは異なるか、第３の搬送スペースの最大容積とは異なるか、あるいはいずれの最大容積とも異なる最大容積を有することがさらに提案される。第１の搬送スペースは好ましくは、特に最大容積に関して特に少なくとも±１％の大きさ、好ましくは少なくとも±５％の大きさ、特に好ましくは少なくとも±１０％の大きさだけ、第２の搬送スペースの最大容積とは異なるか、第３の搬送スペースの最大容積とは異なるか、あるいはいずれの最大容積とも異なる最大容積を有する。本発明による実施形態によって、搬送速度および搬送性能に関して、あるいは搬送速度または搬送性能に関して高いレベルの可変性を可能にすることが有利に可能である。
【００１６】
本発明による搬送装置の少なくとも１つの設計の変形形態では、剛性であるように具現される搬送スペース要素は好ましくは、搬送要素とともに、少なくとも第１の搬送スペース、第２の搬送スペースおよび第３の搬送スペースの境界を定める。しかし、剛性であるように具現される搬送スペース要素が、搬送要素とともに、搬送装置のさらなる搬送スペース、例えば４個の搬送スペース、５個の搬送スペース、６個の搬送スペース、７個の搬送スペース、７個よりも多くの搬送スペース、２０個よりも多くの搬送スペース等の境界を付加的に定めることも考えられる。搬送装置の単一の弾性変形可能な搬送要素が、剛性であるように具現される搬送スペース要素とともに、搬送装置の複数の搬送スペースの境界を定めることが考えられる。しかし、本発明による搬送装置の代替的な実施形態では、各場合に、１つの搬送スペースの境界を、単一の弾性変形可能な搬送要素によって、および、剛性であるように具現される単一の搬送スペース要素によって定めることも考えられる。特に本発明による搬送装置の代替的な実施形態では、剛性であるように具現される少なくとも搬送スペース要素および弾性変形可能な搬送要素が、交換可能なユニットを一緒に形成することが好ましい。本明細書では、「交換可能なユニット」とは、全体として、特に、破壊されることなく、または、特に、ユニットを要素もしくはさらなるユニットに締結するために提供される少なくとも１つの締結要素の解放後に、個々の部品を、要素もしくはさらなるユニットから、例えばハウジングユニット等から分解することなく取り外し可能であるユニットを特に意味するものと理解されるべきである。特に本発明による搬送装置の代替的な実施形態では、搬送装置をポンプ装置に配置することが好ましい。特に本発明による搬送装置の代替的な実施形態では、交換可能なユニットは好ましくは、個々の部品に分解されることなく、全体として要素からまたはさらなるユニットから取り外し可能である。特に本発明による搬送装置の代替的な実施形態では、少なくとも搬送スペース要素および搬送要素が、要素からまたはさらなるユニットから、特に搬送装置を備えるポンプ装置のハウジングユニットから一緒に取り外し可能である場合が好ましい。特に本発明による搬送装置の代替的な実施形態では、交換可能なユニットが、要素からまたはさらなるユニットから取り外された後で、交換または代替ユニットの少なくとも１つの機能に関して、交換可能なユニットの少なくとも１つの機能に少なくとも実質的に対応する交換または代替ユニットと交換可能である場合に好ましい。特に本発明による搬送装置の代替的な実施形態では、交換可能なユニットを使い捨ての物品ユニットとして形成することが好ましい。本発明による搬送装置の実施形態によって、複数の搬送スペースを少ない構成要素で実現することが有利に可能である。したがって、搬送装置の高いレベルの可変性を達成することが有利に可能である。
【００１７】
搬送要素が少なくとも第２の搬送スペースおよび第３の搬送スペース、あるいは第２の搬送スペースまたは第３の搬送スペースの境界を付加的に定めることがさらに提案される。本発明による搬送装置の少なくとも１つの実施形態では、搬送要素は、特に第１の搬送スペースに加えて、少なくとも第２の搬送スペースおよび第３の搬送スペースの境界を、特に剛性であるように具現される搬送スペース要素とともに付加的に定める。しかし、搬送要素が搬送装置のさらなる搬送スペースの境界を定めることも考えられる。本発明による実施形態によって、複数の搬送スペースを少ない構成要素で形成することが有利に可能である。したがって、高い搬送速度を実現するのに用いることができる搬送装置を提供することが有利に可能である。
【００１８】
第１の搬送スペース、第２の搬送スペースおよび／または第３の搬送スペースの境界を定めるために、搬送要素は、搬送スペース要素の、ポンプ装置の駆動ユニットの駆動要素に向かって面する側に配置することができるか、または、搬送スペース要素の、駆動要素には面しない側に配置することができる。当業者にとって好都合に思われるさらなる改良形態が同様に考えられる。搬送媒体を搬送するために、搬送要素は好ましくは、凸状の湾曲から凹状の湾曲に少なくとも部分的に変化することができる。搬送要素は好ましくは、特に搬送要素に対して作用する駆動力によって、搬送スペース要素の窪んだ凹部の境界を定めるとともに、特に、搬送スペース要素の、搬送要素の方向に向く内側面に対して少なくとも部分的に当接されることができる。搬送要素の少なくとも１つの搬送面が、搬送スペース要素の内側面に対して全体的に当接されることが非常に特に好ましくは可能であり、この内側面は、搬送要素の弾性変形の結果として、搬送スペース要素の窪んだ凹部の境界を定める。本発明による実施形態によって、複数の搬送スペースを少ない構成要素で形成することが特に有利に可能である。したがって、高い搬送速度を実現するのに用いることができるとともに、複数の搬送スペース、特に異なる搬送スペースを有する搬送装置を提供することが有利に可能である。
【００１９】
少なくとも第１の搬送スペースが少なくとも２個の搬送スペース入口を含むことがさらに提案される。第２の搬送スペースおよび第３の搬送スペース、あるいは第２の搬送スペースまたは第３の搬送スペースが少なくとも２個の搬送スペース入口を含むことが好ましい。しかし、第１の搬送スペース、第２の搬送スペースおよび／または第３の搬送スペースが、２個とは異なる数の搬送スペース入口、例えば１つのみの搬送スペース入口、３つの搬送スペース入口、４つの搬送スペース入口、５つの搬送スペース入口または５つよりも多い搬送スペース入口を含むことも考えられる。第１の搬送スペースは好ましくは、１つのみの搬送スペース出口を含む。第２の搬送スペースは好ましくは、１つのみの搬送スペース出口を含む。第３の搬送スペースは好ましくは、１つのみの搬送スペース出口を含む。搬送装置の全ての搬送スペースが、各場合に単一の搬送スペース出口を含むことが好ましい。しかし、搬送装置の第１の搬送スペース、第２の搬送スペース、第３の搬送スペースおよび／またはさらなる搬送スペースが、２個以上の搬送スペース出口を有することも考えられる。第１の搬送スペース、第２の搬送スペースおよび第３の搬送スペースの搬送スペース出口は好ましくは、流れに関して互いに接続される。搬送装置は好ましくは、第１の搬送スペース、第２の搬送スペースおよび第３の搬送スペースの搬送スペース出口を流れに関して互いに接続するために提供される少なくとも１つの搬送スペース出口ラインを含む。搬送スペース出口ラインは好ましくは、流れに関して搬送装置をさらなるユニットに接続するために提供される。ここで、さらなるユニットは、ポンプ装置の一部、例えばアンプル、カープル等のような投与装置の一部、家庭電化製品の一部、例えば口腔洗浄器等の歯科衛生機械の一部等であるものとすることができる。しかし、各個々の搬送スペース出口が、各場合に流れに関して、搬送装置の別個の搬送スペース出口ラインによって、さらなるユニットまたは複数のさらなるユニットに接続可能であることも考えられる。本発明による実施形態によって、特に個々の搬送スペースに別個に搬送することができる異なる搬送媒体を混合するために搬送装置を使用することができることを達成することが有利に可能である。
【００２０】
搬送要素は有利には、搬送スペース要素に少なくとも実質的に取り外し不可能に接続される。搬送要素は、全周に沿って、特に少なくとも１つの平面視で、搬送スペース要素に少なくとも実質的に取り外し不可能に接続することができるか、または、搬送要素は、例えばフィルムヒンジ等によって、搬送スペース要素に、少なくとも実質的に取り外し不可能に少なくとも１つの単一の側によって接続することができる。搬送要素および搬送スペース要素は好ましくは、例えば射出成形プロセス等によって、特に、フィルムヒンジ等による搬送要素および搬送スペース要素の少なくとも実質的に取り外し不可能な接続で一体的に形成される。搬送要素および搬送スペース要素は好ましくは、同一の材料、例えばプラスチックもしくは金属から、または、同一の材料複合物、例えばＧＲＰ、何らかの他の複合材料等から形成される。しかし、搬送要素および搬送スペース要素を異なる材料から形成し、少なくとも実質的に取り外し不可能に互いに接続することも考えられる。
【００２１】
搬送要素が、搬送要素の断面視で、第１の搬送スペースの剛性の壁の最大の横断範囲に少なくとも実質的に等しい最大の横断範囲を有する少なくとも１つの搬送面を含むことがさらに提案され、この壁は、少なくとも第１の搬送スペースの境界を定める。「少なくとも実質的に」という表現は、逸脱が、特に少なくとも範囲および寸法決め、あるいは範囲または寸法決めと併せて、所定の値の特に２５％未満、好ましくは１０％未満、特に好ましくは５％未満だけ所定の値から逸脱し、非常に特に好ましくはその値に全体的に対応することを意味するものと理解されるべきである。搬送要素が、搬送要素の断面視で、搬送スペース要素の剛性の壁の最大の横断範囲に等しく、特に全体的に等しいかまたは適合する最大の横断範囲を有する少なくとも１つの搬送面を含む場合に特に好ましく、この壁は、少なくとも搬送スペースの境界を少なくとも部分的に定める。搬送要素は好ましくは、搬送要素の無負荷状態において、搬送要素の断面視で、搬送スペース要素の剛性の壁の最大の横断範囲に等しい最大の横断範囲を有する搬送面を有し、この壁は、少なくとも搬送スペースの境界を少なくとも部分的に定める。搬送要素の負荷状態において、搬送要素の搬送面の最大の横断範囲が、搬送スペース要素の剛性の壁の最大の横断範囲に等しいことも考えることができ、この壁は、少なくとも搬送スペースの境界を少なくとも部分的に定める。搬送装置の少なくとも１つの実施形態では、搬送要素は好ましくは、搬送要素の断面視で、少なくとも第１の搬送スペースの境界を定める、第１の搬送スペースの剛性の壁の最大の横断範囲に少なくとも実質的に等しい最大の横断範囲を有する少なくとも１つの搬送面、搬送要素の断面視で、少なくとも第２の搬送スペースの境界を定める、第２の搬送スペースの剛性の壁の最大の横断範囲に少なくとも実質的に等しい最大の横断範囲を有する少なくとも１つのさらなる搬送面、および、搬送要素の断面視で、少なくとも第３の搬送スペースの境界を定める、第３の搬送スペースの剛性の壁の最大の横断範囲に少なくとも実質的に等しい最大の横断範囲を有する付加的な搬送面を含む。本明細書では、「搬送面」は、特に、搬送媒体を第１の搬送スペース内におよび／または第１の搬送スペースを通して、第２の搬送スペース内におよび／または第２の搬送スペースを通して、ならびに／または、第３の搬送スペース内におよび／または第３の搬送スペースを通して搬送するために、標的を絞った方法で使用することができ、ならびに／または、特に搬送媒体の搬送中に、搬送するための搬送媒体と直接的に接触する、搬送要素の表面を意味するものと理解されるべきである。搬送面の最大の横断範囲は好ましくは、第１の搬送スペース内へのおよび／または第１の搬送スペースを通る、第２の搬送スペース内へのおよび／または第２の搬送スペースを通る、ならびに／または、第３の搬送スペース内へのおよび／または第３の搬送スペースを通る搬送方向に対して、少なくとも実質的に横断して、特に少なくとも実質的に垂直に延びる。搬送方向は好ましくは、第１の搬送スペース内におよび／または第１の搬送スペースを通って、第２の搬送スペース内におよび／または第２の搬送スペースを通って、ならびに／または、第３の搬送スペース内におよび／または第３の搬送スペースを通って、搬送スペース入口から搬送スペース出口まで延びる。本明細書では、「少なくとも実質的に横断方向に」という表現は、特に、基準方向および／または基準軸に対する方向および／または軸の向きを意味するものと理解されるべきであり、方向および／または軸の向きは、基準方向に対するおよび／または基準軸に対する少なくとも実質的に平行な向きとは少なくとも異なり、基準方向に対しておよび／または基準軸に対して特に斜めまたは垂直である。本明細書では、「少なくとも実質的に垂直」という表現は、特に、基準方向に対する方向の向きを規定することが意図され、特に１つの平面視で、方向および基準方向は、９０°の角度を含み、この角度は、特に８°未満、有利には５°未満、特に有利には２°未満の最大の逸脱を有する。本発明による実施形態によって、変形の結果として搬送要素の低下した負荷を可能にすることが有利に可能である。さらに、搬送装置の起動に関して高いレベルの可変性を達成することが有利に可能である。
【００２２】
さらに本発明は、本発明による少なくとも１つの搬送装置、および、搬送装置を駆動する少なくとも１つの駆動ユニットを有するポンプ装置に基づくものであり、駆動ユニットは、少なくとも第１の搬送スペース、第２の搬送スペースおよび第３の搬送スペースによって少なくとも部分的に包囲される少なくとも１つの駆動要素を含む。搬送要素は、進行波の原理に従って搬送媒体の搬送を可能にすることができるように、駆動ユニットによって駆動可能であることが提案される。駆動ユニットは、機械的な駆動ユニット、磁気的な駆動ユニット、圧電性駆動ユニット、油圧式駆動ユニット、空気圧式駆動ユニット、電気的な駆動ユニット、磁性流体駆動ユニット、カーボンチューブ駆動ユニット、上記のタイプの駆動ユニットのうちの１つの組み合わせ、または、当業者にとって好都合に思われる何らかの他の駆動ユニットの形態であるものとすることができる。代替的には、ポンプ装置が手動で、特に手で操作可能であることも考えられる。手動で操作可能なポンプ装置としてのポンプ装置の一実施形態では、流体を、操作者の手で、特に少なくとも指一本で搬送要素に対して加えられる力の作用の結果として、搬送スペース内に少なくとも運ぶことができるか、および／または、操作者の手で、特に少なくとも指一本で搬送要素に対して加えられる力の作用の結果として、搬送スペースから少なくとも運ぶことができる。手動で操作可能なポンプ装置は好ましくは、少なくとも１つの弁ユニットを備え、少なくとも１つの弁ユニットは例えば、搬送スペース入口に少なくとも１つの弁、特に一方向弁（例えば逆止弁等）、および、搬送スペース出口に少なくとも１つの弁、特に一方向弁（例えば逆止弁等）を有する。駆動ユニットは好ましくは、搬送要素に対して作用するように設けられ、特に、搬送要素に対する駆動力の作用の結果として搬送要素を弾性的に変形させるように提供される少なくとも１つの駆動要素を含む。駆動要素は、当業者にとって好都合に思われる任意の形態で設計することができ、例えば、プランジャーとして、突起として、らせんとして、カムとして、圧電素子として、磁石として、偏心器としてといった具合に設計することができる。駆動ユニットは好ましくは、特に少なくとも駆動要素を駆動するように構成されている少なくとも１つの電気モーターユニットを含む。しかし、駆動ユニットが、当業者にとって好都合に思われる何らかの他のモーターユニット、例えば燃焼機関ユニット、ハイブリッドモーターユニット等を含むことも考えられる。ポンプ装置は好ましくは、搬送装置を配置することができ、特に交換可能に配置することができる少なくとも１つのハウジングユニットを備える。本発明による実施形態によって、使用の分野および搬送性能について、あるいは使用の分野または搬送性能について高いレベルの可変性を可能にするポンプ装置を実現することが有利に可能である。
【００２３】
駆動ユニットがらせん駆動ユニットとしてまたは偏心駆動ユニットとして設計されることがさらに提案される。本明細書では、「らせん駆動ユニット」とは、特に搬送要素を駆動力の作用に、特に駆動力の直接的な作用に晒すように提供される少なくとも１つのらせん駆動要素を有する駆動ユニットを特に意味するものと理解されるべきである。しかし、駆動ユニットが、例えば循環駆動ユニットとして、プレートディスク駆動ユニット等として設計される、当業者にとって好都合に思われる何らかの他の設計であることも考えられる。本明細書では、「循環駆動ユニット」は、特に、搬送要素に対する駆動力の作用のために、特に駆動力の直接的な作用のために、特に回転駆動されることができる少なくとも１つの力作用要素を有する駆動ユニットを意味するものと理解されるべきであり、特に、力作用要素が、搬送要素に対する駆動力の作用のために、回転平面、特に、力作用要素を回転駆動することができる回転平面に対して少なくとも実質的に平行に延びることが提供される。本明細書では、「プレートディスク駆動ユニット」は、特に、搬送要素に対する駆動力の作用のために、特に駆動力の直接的な作用のために、特に回転駆動されることができるプレート要素に配置される少なくとも１つの駆動要素を有する駆動ユニットを意味するものと理解されるべきであり、特に、駆動要素が、搬送要素に対する駆動力の作用のために、プレート要素の回転軸に対して少なくとも実質的に平行に延びることが提供される。
【００２４】
駆動ユニットは好ましくは、らせんとして具現される少なくとも１つの駆動要素、または、偏心器として具現される少なくとも１つの駆動要素を含む。駆動要素は好ましくは、搬送要素に対して直接的に作用するように提供される。しかし、少なくとも１つのさらなる要素、例えば摩擦低減要素、支持要素等を、駆動要素と搬送要素との間に配置することも考えられる。駆動ユニットの少なくとも１つの駆動軸が、搬送装置の搬送方向に対して、特に第１の搬送スペース内の搬送方向に対して少なくとも実質的に平行に延びることが有利である。らせん駆動ユニットまたは偏心駆動ユニットとしての駆動ユニットの実施形態の場合、その回転軸が駆動ユニットの駆動軸を形成する、らせんとして具現される駆動要素または偏心器として具現される駆動要素の回転軸が、搬送スペースにおいて搬送方向に対して少なくとも実質的に平行に延びる場合が好ましい。駆動ユニットの電気モーターユニットのローター要素の回転軸が、第１の搬送スペースにおいて搬送方向に対して少なくとも実質的に平行に延びることが好ましい。電気モーターユニットのローター要素の回転軸は好ましくは、搬送スペースにおいて搬送方向に対して少なくとも実質的に平行に延びるさらなる駆動軸を形成する。本発明による実施形態によって、ポンプ装置のコンパクトな構成を実現することが有利に可能である。
【００２５】
第１の搬送スペース、第２の搬送スペースおよび第３の搬送スペースは、駆動要素の回転方向に沿って見て、好ましくは駆動要素の周りに配置される。第１の搬送スペース、第２の搬送スペースおよび第３の搬送スペースは、特に駆動要素の回転方向に沿って見て、好ましくは駆動要素の周りに等間隔に分散して配置される。搬送装置が、第１の搬送スペース、第２の搬送スペースおよび第３の搬送スペースとともに駆動要素を囲むさらなる搬送スペースを含むことがさらに考えられる。搬送装置のさらなる搬送スペース、ならびに／または、第１の搬送スペース、第２の搬送スペースおよび／または第３の搬送スペースが、特に駆動要素の回転軸に沿って見て、駆動要素上に軸方向に分散されて、特に軸方向にずらして配置されることがさらに考えられる。当業者にとって好都合に思われる搬送装置の第１の搬送スペース、第２の搬送スペース、第３の搬送スペースおよび／またはさらなる搬送スペースのさらなる配置が、同様に考えられる。本発明による実施形態によって、駆動要素の好都合な使用を達成することが有利に可能である。
【００２６】
駆動ユニットが、少なくとも第１の搬送スペースに割り当てられる搬送装置の少なくとも搬送要素、第２の搬送スペースに割り当てられる搬送装置の少なくとも１つのさらなる搬送要素、および、第３の搬送スペースに割り当てられる搬送装置の少なくとも１つの付加的な搬送要素を駆動するように構成されている少なくとも上記駆動要素を含むことがさらに提案される。駆動要素は好ましくは、第１の搬送スペースに割り当てられる搬送装置の搬送要素、第２の搬送スペースに割り当てられる搬送装置のさらなる搬送要素、および、第３の搬送スペースに割り当てられる搬送装置の付加的な搬送要素に対して駆動要素が力を加える結果としての進行波の原理に従って、搬送媒体の搬送を可能にするために提供される。駆動要素は好ましくは、第１の搬送スペースに割り当てられる搬送装置の搬送要素、第２の搬送スペースに割り当てられる搬送装置のさらなる搬送要素、および、第３の搬送スペースに割り当てられる搬送装置の付加的な搬送要素の進行波の移動を、それぞれの搬送要素の長手方向軸に沿って生成するために提供される。駆動要素がそれぞれの搬送要素に対して直接的に作用するか、または、励起要素を、例えば、駆動要素とそれぞれの搬送要素との間に配置することが考えられ、この励起要素には駆動要素が直接的に作用し、励起要素は、駆動力の作用をそれぞれの搬送要素に伝え、搬送要素は励起要素に対して少なくとも部分的に当接する。本発明による実施形態によって、単一の駆動要素によって異なる搬送スペースを通して搬送媒体を搬送することを実現することが有利に可能である。
【００２７】
本明細書では、本発明による搬送装置およびポンプ装置、あるいは本発明による搬送装置またはポンプ装置を、上述した使用および実施形態に制限することは意図されない。特に、本明細書において記載される機能を果たすために、本発明による搬送装置およびポンプ装置、あるいは本発明による搬送装置またはポンプ装置は、複数の個々の要素、構成要素およびユニット、ならびに、本明細書において言及される数とは異なる方法のステップを有することができる。さらに、本開示において明記される値の範囲に関して、記載される限度内にある値が所望の通りに開示され使用可能であることも意図される。
【００２８】
さらなる利点が、図面の以下の記載から明らかとなる。図面は、本発明の例示的な実施形態を示す。図面、説明および特許請求の範囲は、多くの特徴を組み合わせて含む。当業者はまた、これらの特徴を好都合に個々に考慮し、これらを組み合わせてさらなる意味のある組み合わせを形成するであろう。
【図面の簡単な説明】
【００２９】
【図１】本発明による少なくとも１つの搬送装置を有する本発明によるポンプ装置の概略図である。
【図２】本発明によるポンプ装置の概略断面図である。
【図３】本発明による搬送装置の搬送スペースの概略縦断面図であり、この搬送スペースは、本発明による搬送装置の搬送要素および搬送スペース要素によって形成される。
【図４】本発明による搬送装置の搬送要素の無負荷状態における本発明による搬送装置の搬送スペースの概略断面図である。
【図５】本発明による搬送装置の搬送要素の負荷状態における本発明による搬送装置の搬送スペースの概略断面図である。
【図６】本発明による少なくとも１つの搬送装置を有する本発明による代替的なポンプ装置の概略図である。
【図７】本発明による代替的なポンプ装置の概略断面図である。
【図８】特に右から左への搬送プロセス中の、本発明による代替的なポンプ装置のさらなる概略断面図である。
【図９】本発明による代替的なポンプ装置の駆動ユニットの駆動要素の概略詳細図である。
【発明を実施するための形態】
【００３０】
図１は、少なくとも１つの搬送装置１０ａ、および、搬送装置１０ａを駆動する少なくとも１つの駆動ユニット３８ａを有するポンプ装置３６ａを示している。駆動ユニット３８ａの制御および調節、あるいは制御または調節のために、ポンプ装置３６ａは、その設計が当業者に既知である少なくとも１つの制御および調節ユニット、あるいは制御または調節ユニット（そのいずれもここでは示されていない）を備える。駆動ユニット３８ａは、らせん駆動ユニットとしてまたは偏心駆動ユニットとして具現される。駆動ユニット３８ａの駆動要素４０ａの少なくとも１つの駆動軸４６ａが、搬送装置１０ａの搬送方向４８ａに対して少なくとも実質的に平行に、特に、搬送装置１０ａの少なくとも１つの第１の搬送スペース１２ａを通る搬送方向４８ａに対して少なくとも実質的に平行に延びる。駆動要素４０ａは、駆動らせんまたは偏心シャフト（図２）の形態である。駆動要素４０ａは、当業者に既知である方法でポンプ装置３６ａのハウジングユニット（本明細書ではこれ以上詳細には示されない）内で回転可能に支持される。駆動軸４６ａは、駆動要素４０ａの回転軸として構成されている。駆動要素４０ａは、搬送装置１０ａの少なくとも１つの搬送要素１６ａを弾性変形させるために提供され、この搬送要素は、搬送媒体を搬送するために少なくとも第１の搬送スペース１２ａに割り当てられる。少なくとも第１の搬送スペース１２ａに割り当てられる搬送要素１６ａは、弾性変形可能に具現される。駆動要素４０ａは、少なくとも第１の搬送スペース１２ａに割り当てられる搬送要素１６ａの長手方向軸に沿って、少なくとも第１の搬送スペース１２ａに割り当てられる搬送要素１６ａの進行波の移動を生成するために提供される。本明細書では、駆動要素４０ａが、少なくとも第１の搬送スペース１２ａに割り当てられる搬送要素１６ａに対して直接的に作用するか、または、搬送装置１０ａの励起要素（本明細書ではこれ以上詳細には示されない）を、駆動要素４０ａと、少なくとも第１の搬送スペース１２ａに割り当てられる搬送要素１６ａとの間に配置することが考えられ、この励起要素は、駆動要素４０ａによって直接的に作用され、励起要素は、駆動力の作用を、少なくとも第１の搬送スペース１２ａに割り当てられる搬送要素１６ａに伝え、この搬送要素は励起要素に対して少なくとも部分的に当接する。
【００３１】
駆動要素４０ａの移動、特に回転のために、駆動ユニット３８ａは少なくとも１つのモーターユニット５０ａを含む。モーターユニット５０ａは電気モーターユニットとして形成される。しかし、モーターユニット５０ａが、当業者にとって好都合に思われる何らかの他の設計であること、例えば、燃焼機関ユニット、ハイブリッドモーターユニット等として設計されることも考えられる。駆動要素４０ａは、例えば搬送装置１０ａの歯車ユニットによって、または、搬送装置１０ａの少なくとも１つの歯付きギア要素によって、モーターユニット５０ａのローターシャフト１０８ａ（図２）に直接的に、特に回転的に共同に、または、間接的に接続されることができる。ローターシャフト１０８ａは、駆動要素４０ａの駆動軸４６ａに対して少なくとも実質的に平行に、特に同軸に延びる回転軸を有する。
【００３２】
駆動ユニット３８ａは、少なくとも第１の搬送スペース１２ａ、搬送装置１０ａの第２の搬送スペース１４ａおよび搬送装置１０ａの第３の搬送スペース１８ａによって少なくとも部分的に包囲される少なくとも駆動要素４０ａを備える。駆動ユニット３８ａは、少なくとも第１の搬送スペース１２ａに割り当てられる搬送装置１０ａの少なくとも搬送要素１６ａ、第２の搬送スペース１４ａに割り当てられる搬送装置１０ａの少なくとも１つのさらなる搬送要素４２ａ、および、第３の搬送スペース１８ａに割り当てられる搬送装置１０ａの少なくとも１つの付加的な搬送要素４４ａを駆動するように構成されている少なくとも１つの駆動要素４０ａを含む。第１の搬送スペース１２ａに割り当てられる搬送装置１０ａの搬送要素１６ａ、第２の搬送スペース１４ａに割り当てられる搬送装置１０ａのさらなる搬送要素４２ａ、および、第３の搬送スペース１８ａに割り当てられる搬送装置１０ａの付加的な搬送要素４４ａは、少なくとも実質的に同様の設計である。したがって、搬送要素１６ａ、４２ａ、４４ａのうちの１つの記載は好ましくは、搬送装置１０ａの全ての搬送要素１６ａ、４２ａ、４４ａに言い換え可能であることが意図される。
【００３３】
搬送装置１０ａは、ハウジングユニットに配置され、特に取り外し可能に配置されることができる。ここで、搬送装置１０ａは、交換可能なユニットとして、特に入れ替え可能なユニットとしてまたは使い捨て可能な物品ユニットとして具現することができる。搬送装置１０ａは、搬送媒体を少なくとも搬送するように構成されている。搬送装置１０ａは、少なくとも第１の搬送スペース１２ａ、少なくとも第２の搬送スペース１４ａ、および、少なくとも第１の搬送スペース１２ａの境界を定める少なくとも弾性変形可能な搬送要素１６ａを含む。さらに、搬送装置１０ａは、少なくとも第３の搬送スペース１８ａを含む。第１の搬送スペース１２ａは、第２の搬送スペース１４ａの最大容積とは異なるか、第３の搬送スペース１８ａの最大容積とは異なるか、あるいはいずれの最大容積とも異なる最大容積を有する。第２の搬送スペース１４ａは好ましくは、第３の搬送スペース１８ａの最大容積とは異なる最大容積を有する。しかし、搬送装置１０ａの代替的な実施形態では、第１の搬送スペース１２ａ、第２の搬送スペース１４ａおよび／または第３の搬送スペース１８ａが、少なくとも実質的に同一の最大容積を有することも考えられる。
【００３４】
少なくとも第１の搬送スペース１２ａは、少なくとも2個の搬送スペース入口２２ａ、２４ａを含む。図１に示されている搬送装置１０ａの例示的な実施形態では、第１の搬送スペース１２ａは、全部で５個の搬送スペース入口２２ａ、２４ａ、２６ａ、２８ａ、３０ａを含む。第１の搬送スペース１２ａの搬送スペース入口２２ａ、２４ａ、２６ａ、２８ａ、３０ａの数は、５個とは異なっていてもよい。特に、搬送スペース入口２２ａ、２４ａ、２６ａ、２８ａ、３０ａの数は、搬送スペース入口２２ａ、２４ａ、２６ａ、２８ａ、３０ａに接続可能な搬送装置１０ａの搬送媒体貯蔵ユニットの搬送媒体貯蔵容器６２ａ、６４ａ、６６ａ、６８ａ、７０ａの数に依存する。搬送装置１０ａの各搬送スペース１２ａ、１４ａ、１８ａが、搬送媒体貯蔵容器６２ａ、６４ａ、６６ａ、６８ａ、７０ａに接続可能な少なくとも５個の搬送スペース入口２２ａ、２４ａ、２６ａ、２８ａ、３０ａを含むことが好ましい。第１の搬送スペース１２ａの搬送スペース入口２２ａ、２４ａ、２６ａ、２８ａ、３０ａは、各場合にポンプ装置３６ａの伝導要素５２ａ、５４ａ、５６ａ、５８ａ、６０ａによって、搬送媒体貯蔵容器６２ａ、６４ａ、６６ａ、６８ａ、７０ａのうちの少なくとも１つに接続可能である。搬送媒体貯蔵容器６２ａ、６４ａ、６６ａ、６８ａ、７０ａは、搬送媒体を貯蔵するように構成されている。同じ搬送媒体が、搬送媒体貯蔵容器６２ａ、６４ａ、６６ａ、６８ａ、７０ａのそれぞれに貯蔵されるか、または、異なる搬送媒体が搬送媒体貯蔵容器６２ａ、６４ａ、６６ａ、６８ａ、７０ａのそれぞれに貯蔵されることが考えられる。例えば液体等の流体の形態の搬送媒体、液体形態の医薬構成物質、液体形態の食品構成物質等、または、特に混合するために提供される、当業者にとって好都合に思われる他の搬送媒体を、搬送媒体貯蔵容器６２ａ、６４ａ、６６ａ、６８ａ、７０ａに貯蔵することができる。搬送媒体貯蔵容器６２ａ、６４ａ、６６ａ、６８ａ、７０ａは、ポンプ装置３６ａのハウジングユニットに、特に着脱可能もしくは再充填可能に配置することができるか、または、搬送媒体貯蔵容器６２ａ、６４ａ、６６ａ、６８ａ、７０ａは、ハウジングユニットに関して別個に位置決め可能であるものとすることができる。
【００３５】
さらに、搬送装置１０ａは、搬送装置１０ａの搬送スペース１２ａ、１４ａ、１８ａへの搬送媒体の導入を計量するために提供される少なくとも１つの弁ユニット７２ａを備える。弁ユニット７２ａは好ましくは、制御および調節ユニット、あるいは制御または調節ユニットによって作動可能である。弁ユニット７２ａは、搬送スペース入口２２ａ、２４ａ、２６ａ、２８ａ、３０ａあたり少なくとも１つの弁要素７４ａ、７６ａ、７８ａ、８０ａ、８２ａを含む。図１に示されている例示的な実施形態では、弁ユニット７２ａは、搬送スペース１２ａ、１４ａ、１８ａあたり少なくとも５個の弁要素７４ａ、７６ａ、７８ａ、８０ａ、８２ａを有する。しかし、弁ユニット７２ａが、搬送スペース１２ａ、１４ａ、１８ａあたり、５個とは異なる数の弁要素７４ａ、７６ａ、７８ａ、８０ａ、８２ａを有することも考えられる。弁要素７４ａ、７６ａ、７８ａ、８０ａ、８２ａは、流れに関して、それぞれの伝導要素５２ａ、５４ａ、５６ａ、５８ａ、６０ａとそれぞれの搬送スペース１２ａ、１４ａ、１８ａ（図２）との間に配置される。弁要素７４ａ、７６ａ、７８ａ、８０ａ、８２ａは、各場合に、搬送装置１０ａの対応する搬送スペース１２ａ、１４ａ、１８ａの境界を定める搬送スペース要素２０ａ、８４ａ、８６ａに配置される。搬送装置１０ａの搬送スペース要素２０ａ、８４ａ、８６ａは剛性であるように具現される。さらに、搬送装置１０ａの、剛性であるように具現される搬送スペース要素２０ａ、８４ａ、８６ａは、それぞれの弾性変形可能な搬送要素１６ａ、４２ａ、４４ａとともに、搬送装置１０ａの対応する搬送スペース１２ａ、１４ａ、１８ａの境界を定める。搬送装置１０ａは、第１の搬送スペース１２ａに割り当てられ、剛性であるように具現される少なくとも搬送スペース要素２０ａとともに、第１の搬送スペース１２ａの境界を定めるかまたは形成する少なくとも弾性変形可能な搬送要素１６ａを備える。さらに、搬送装置１０ａは、第２の搬送スペース１４ａに割り当てられ、剛性であるように具現されるさらなる搬送スペース要素８４ａとともに、第２の搬送スペース１４ａの境界を定めるかまたは形成するさらなる弾性変形可能な搬送要素４２ａを備える。さらに、搬送装置１０ａは、第３の搬送スペース１８ａに割り当てられ、剛性であるように具現される付加的な搬送スペース要素８６ａとともに、第３の搬送スペース１８ａの境界を定めるかまたは形成する付加的な弾性変形可能な搬送要素４４ａを備える。
【００３６】
図３は、搬送装置１０ａの搬送スペース１２ａ、１４ａ、１８ａの１つの実施形態に関して、例として、第１の搬送スペース１２ａに割り当てられる少なくとも弾性変形可能な搬送要素１６ａによって形成されるとともに、搬送装置１０ａの、剛性であるように具現される搬送スペース要素２０ａによって形成される搬送装置１０ａの第１の搬送スペース１２ａの縦断面を示している。第１の搬送スペース１２ａに割り当てられる搬送要素１６ａは、搬送スペース要素２０ａの第１の搬送スペース１２ａの境界を定める少なくとも１つの縁領域を封止するために提供される。搬送スペース要素２０ａ、および、第１の搬送スペース１２ａに割り当てられる搬送要素１６ａの相互作用によって、第１の搬送スペース１２ａ内に、および第１の搬送スペース１２ａを通して、あるいは第１の搬送スペース１２ａ内に、または第１の搬送スペース１２ａを通して搬送されることができる搬送媒体は、搬送装置１０ａの搬送スペース入口２２ａ、２４ａ、２６ａ、２８ａ、３０ａのうちの１つを介して、第１の搬送スペース１２ａに導入されることができる。搬送スペース入口２２ａ、２４ａ、２６ａ、２８ａ、３０ａは、搬送スペース要素２０ａに配置され、特に、搬送スペース要素２０ａと一体的に形成される。搬送媒体は、第１の搬送スペース１２ａに割り当てられる搬送要素１６ａの可逆的な変形によって、第１の搬送スペース１２ａ内に、および第１の搬送スペース１２ａを通して、あるいは第１の搬送スペース１２ａ内に、または第１の搬送スペース１２ａを通して搬送されることができる。搬送媒体は、第１の搬送スペース１２ａに割り当てられる搬送要素１６ａの可逆的な変形によって、搬送装置１０ａの搬送スペース入口２２ａ、２４ａ、２６ａ、２８ａ、３０ａのうちの１つから、第１の搬送スペース１２ａを通して搬送装置１０ａの搬送スペース出口８８ａまで搬送されることができる。搬送スペース出口８８ａは、搬送スペース要素２０ａに配置され、特に、搬送スペース要素２０ａと一体的に形成される。搬送スペース出口８８ａは、さらなるユニット（本明細書ではこれ以上詳細には示されない）に流体的に接続可能である。さらなるユニットはこの場合、ポンプ装置３６ａの一部、ポンプ装置３６ａが配置される投与装置の一部、ポンプ装置３６ａが配置される家庭電化製品の一部等であるものとすることができる。投与装置の一部としてのポンプ装置３６ａの実施形態では、さらなるユニットが注射ユニットの形態であり、特に、針またはシリンジユニットの形態であることが特に考えられる。さらなるユニットは、搬送スペース出口８８ａに直接的に接続することができるか、または、さらなるユニットは、流れに関して、例えばホース等の別個の搬送管路によって搬送スペース出口８８ａに接続することができる。流れに関して、当業者にとって好都合に思われる搬送スペース出口８８ａへのさらなるユニットのさらなる接続が、同様に考えられる。搬送装置１０ａは好ましくは、搬送スペース１２ａ、１４ａ、１８ａあたり、さらなるユニットに接続可能である少なくとも１つの搬送スペース出口８８ａ、９０ａ（３個の搬送スペース出口８８ａ、９０ａのうちの２個のみが図１に示されている）を含む。各場合に、搬送スペース出口８８ａ、９０ａのうちの１つが、搬送スペース要素２０ａ、８４ａ、８６ａのうちの１つに配置され、特に、それぞれの搬送スペース要素２０ａ、８４ａ、８６ａと一体的に形成される。
【００３７】
図４は、搬送装置１０ａの搬送スペース１２ａ、１４ａ、１８ａの１つの実施形態に関して、例として、第１の搬送スペース１２ａの断面を示しており、第１の搬送スペース１２ａに割り当てられる搬送要素１６ａは無負荷状態で示されている。特に、第１の搬送スペース１２ａに割り当てられる搬送要素１６ａの無負荷状態では、搬送媒体の搬送は生じない。第１の搬送スペース１２ａに割り当てられる搬送要素１６ａは、搬送スペース要素２０ａに少なくとも部分的に凸状に湾曲して配置されることができる。第１の搬送スペース１２ａに割り当てられる搬送要素１６ａは、少なくとも無負荷状態、特に、駆動ユニット３８ａによって生成することができる駆動力の作用によって負荷をかけられない状態では、搬送スペース要素２０ａに少なくとも部分的に凸状に湾曲して配置される。搬送スペース要素２０ａは、第１の搬送スペース１２ａの境界を少なくとも部分的に定め、および少なくとも部分的に形成する、あるいは少なくとも部分的に定め、または少なくとも部分的に形成する、少なくとも１つの窪んだ凹部９４ａを有する。搬送スペース要素２０ａの凹部９４ａの境界を定める内側面は、第１の搬送スペース１２ａの剛性の壁３４ａを形成する。第１の搬送スペース１２ａに割り当てられる搬送要素１６ａは、搬送媒体を搬送するために、第１の搬送スペース１２ａに割り当てられる搬送要素１６ａが、凹部９４ａの方向に移動可能であり、特に、上記凹部の中へ少なくとも部分的に移動可能である（図５）ように、変形可能である。第１の搬送スペース１２ａに割り当てられる搬送要素１６ａは、ばね弾性であるように具現される。第１の搬送スペース１２ａに割り当てられる搬送要素１６ａは、搬送スペース要素２０ａ、特に、搬送スペース要素２０ａの凹部９４ａの境界を定める縁領域に少なくとも実質的に取り外し不可能に接続される。第１の搬送スペース１２ａに割り当てられる搬送要素１６ａの搬送スペース要素２０ａへの少なくとも実質的に取り外し不可能な接続は、特に、第１の搬送スペース１２ａに割り当てられる搬送要素１６ａと搬送スペース要素２０ａとの間にシールを形成する。しかし、搬送装置１０ａの付加的なシール要素を、第１の搬送スペース１２ａに割り当てられる搬送要素１６ａと搬送スペース要素２０ａとの間に配置することも考えられる。第１の搬送スペース１２ａは、好ましくは第１の搬送スペース１２ａに割り当てられる搬送要素１６ａの搬送スペース要素２０ａへの接続および搬送スペース要素２０ａへの配置、あるいは搬送スペース要素２０ａへの接続または搬送スペース要素２０ａへの配置の結果として、好ましくは流体密に封止することができる。
【００３８】
第１の搬送スペース１２ａに割り当てられる搬送要素１６ａは、第１の搬送スペース１２ａに割り当てられる搬送要素１６ａの断面、特に第１の搬送スペース１２ａの断面視で、第１の搬送スペース１２ａの、搬送スペース１２ａの境界を定める剛性の壁３４ａ、特に、搬送スペース要素２０ａの凹部９４ａの境界を定める内側面（図４および図５）の最大の横断範囲に少なくとも実質的に均等な最大の横断範囲を有する少なくとも１つの搬送面３２ａを含む。搬送要素１６ａが、搬送要素１６ａの断面視で、搬送スペース要素２０ａの剛性の壁３４ａの最大の横断範囲に均等な最大の横断範囲を有する少なくとも１つの搬送面３２ａを含む場合は特に好ましく、この壁は、少なくとも搬送スペース１２ａの境界を少なくとも部分的に定める。搬送媒体を第１の搬送スペース１２ａ内に、および第１の搬送スペース１２ａを通して、あるいは第１の搬送スペース１２ａ内に、または第１の搬送スペース１２ａを通して搬送するために、搬送面３２ａは、駆動ユニット３８ａによって生成することができる駆動力の作用の結果として、第１の搬送スペース１２ａの境界を定める、第１の搬送スペース１２ａの壁３４ａ、特に、搬送スペース要素２０ａの凹部９４ａの境界を定める内側面に対して当接され（図５）、特に全体的に当接されることができる。搬送媒体を第１の搬送スペース１２ａ内に、および第１の搬送スペース１２ａを通して、あるいは第１の搬送スペース１２ａ内に、または第１の搬送スペース１２ａを通して搬送するために、第１の搬送スペース１２ａに割り当てられる搬送要素１６ａに対する、駆動ユニット３８ａによって生成することができる駆動力の作用によって、進行波の移動を生成することができる。搬送媒体の搬送は、全ての搬送要素１６ａ、４２ａ、４４ａの場合に少なくとも実質的に同様に実現される。搬送媒体は、搬送要素１６ａ、４２ａ、４４ａに対する、駆動ユニット３８ａによって生成することができる駆動力の作用による特に負圧によって、少なくとも搬送媒体貯蔵容器６２ａ、６４ａ、６６ａ、６８ａ、７０ａから、伝導要素５２ａ、５４ａ、５６ａ、５８ａ、６０ａを通して、搬送スペース１２ａ、１４ａ、１８ａ内におよび／または搬送スペース１２ａ、１４ａ、１８ａを通して搬送されることができる。さらに、搬送媒体は、搬送要素１６ａ、４２ａ、４４ａに対する、駆動ユニット３８ａによって生成することができる駆動力の作用によって、搬送スペース１２ａ、１４ａ、１８ａから、搬送スペース出口８８ａ、９０ａを通して、さらなるユニットまで搬送されることができる。
【００３９】
図６〜図９は、本発明のさらなる例示的な実施形態を示している。以下の説明および図面は、例示的な実施形態間の差異に実質的に制限され、同一の呼称を有する構成要素に関して、特に同じ参照符号を有する構成要素に関しては、基本的に、他の例示的な実施形態、特に図１〜図５の図面および説明、あるいは図１〜図５の図面または説明も参照することができる。例示的な実施形態を区別するために、アルファベットａが、図１〜図５における例示的な実施形態の参照符号への添え字として加えられている。図６〜図９の例示的な実施形態では、アルファベットａの代わりにアルファベットｂが用いられている。
【００４０】
図６は、少なくとも１つの搬送装置１０ｂ、および、搬送装置１０ｂを駆動する少なくとも１つの駆動ユニット３８ｂを有する代替的なポンプ装置３６ｂを示している。図６〜図９において少なくとも部分的に示されている駆動ユニット３８ｂは、図１〜図５において示されている駆動ユニット３８ａと少なくとも実質的に同様の設計である。駆動ユニット３８ｂは、少なくとも１つの駆動要素４０ｂ、特に、駆動らせんまたは偏心シャフト（図９）として具現される駆動要素４０ｂを含み、この駆動要素は、搬送装置１０ｂの少なくとも１つの第１の搬送スペース１２ｂ、搬送装置１０ｂの第２の搬送スペース１４ｂ、および、搬送装置１０ｂの第３の搬送スペース１８ｂによって少なくとも部分的に包囲される。駆動らせんとしての実施形態では、駆動要素４０ｂは、例えば円形のセグメントのような断面、起伏のある断面、特に、少なくとも２個の起伏の頂部および１つの起伏の谷部を有する起伏のある断面を有する１つまたは複数のらせん要素を有することができ、起伏の頂部は、同一であるかまたは異なる最大の高さを有することができる。１つまたは複数のらせん要素は、弾性的に弾む材料から形成することができるか、または、駆動要素４０ｂの本体と同じ材料から形成することができる。当業者にとって好都合に思われる駆動要素４０ｂのさらなる改良形態が、同様に考えられる。
【００４１】
駆動要素４０ｂは、搬送装置１０ｂの少なくとも１つの搬送要素１６ｂを駆動するために提供され、この搬送要素は、少なくとも第１の搬送スペース１２ｂに割り当てられる。搬送装置１０ｂの搬送要素１６ｂは、第１の搬送スペース１２ｂ、第２の搬送スペース１４ｂおよび第３の搬送スペース１８ｂに割り当てられる。ここで、駆動要素４０ｂが搬送要素１６ｂに直接的に作用するか、または、搬送装置１０ｂの励起要素が、駆動要素４０ｂと搬送要素１６ｂとの間に配置されることが考えられ、この励起要素は、駆動要素４０ｂによって直接的に作用され、励起要素は、駆動力の作用を、少なくとも第１の搬送スペース１２ｂに割り当てられる搬送要素１６ｂに伝え、この搬送要素は、励起要素に対して少なくとも部分的に当接する。励起要素は、当業者にとって好都合に思われる任意の設計であるものとすることができる。図６および図７に示されている搬送装置１０ｂの実施形態では、励起要素は、例としてリブとして、特に搬送要素１６ｂと一体的に形成されるリブとして示されており、特に、リブとして具現される少なくとも１つの励起要素は、搬送要素１６ｂの各搬送スペース１２ｂ、１４ｂ、１８ｂに割り当てられる領域において搬送要素１６ｂに配置される。
【００４２】
搬送装置１０ｂは、少なくとも第１の搬送スペース１２ｂ、少なくとも第２の搬送スペース１４ｂ、および、少なくとも第１の搬送スペース１２ｂの境界を定める少なくとも弾性変形可能な搬送要素１６ｂを含む。さらに、搬送装置１０ｂは、少なくとも第３の搬送スペース１８ｂを含む。搬送要素１６ｂは、第１の搬送スペース１２ｂ、第２の搬送スペース１４ｂおよび／または第３の搬送スペース１８ｂの境界を定める。搬送装置１０ｂは、剛性であるように具現され、搬送要素１６ｂとともに少なくとも第１の搬送スペース１２ｂおよび第２の搬送スペース１４ｂの境界を定める少なくとも１つの搬送スペース要素２０ｂをさらに備える。搬送スペース要素２０ｂは、搬送要素１６ｂとともに、少なくとも第１の搬送スペース１２ｂ、第２の搬送スペース１４ｂおよび第３の搬送スペース１８ｂの境界を定める。要するに、図６〜図８において示されている搬送装置１０ｂの実施形態では、搬送要素１６ｂおよび搬送スペース要素２０ｂは、一緒に、少なくとも５個の搬送スペース１２ｂ、１４ｂ、１８ｂ、９６ｂ、９８ｂ、１０６ｂの境界を定める。しかし、搬送要素１６ｂおよび搬送スペース要素２０ｂが、６個とは異なる数の搬送装置１０ｂの搬送スペース１２ｂ、１４ｂ、１８ｂ、９６ｂ、９８ｂ、１０６ｂの境界を定めるかまたは形成することも考えられる。搬送スペース要素２０ｂは、駆動要素４０ｂの回転方向に沿って見て、搬送要素１６ｂを少なくとも部分的に、特に全体的に包囲する。
【００４３】
搬送要素１６ｂは、搬送装置１０ｂの締結ユニット１００ｂによって、搬送スペース要素２０ｂに配置されることができ、特に搬送スペース要素２０ｂの内側面に固定されることができる。締結ユニット１００ｂは、搬送スペース要素２０ｂに搬送要素１６ｂを配置するために少なくとも１つの締結要素１０２ｂを含む。さらに、締結ユニット１００ｂは、搬送スペース要素２０ｂに搬送要素１６ｂを配置するために少なくとも１つのさらなる締結要素１０４ｂを含む。特に駆動ユニット３８ｂの駆動軸４６ｂに対して少なくとも実質的に垂直に延びる平面視で、締結要素１０２ｂおよびさらなる締結要素１０４ｂは、搬送要素１６ｂの搬送スペース１２ｂ、１４ｂ、１８ｂ、９６ｂ、９８ｂのうちの少なくとも１つの境界を定める縁領域に配置される。したがって、各場合に、搬送スペース１２ｂ、１４ｂ、１８ｂ、９６ｂ、９８ｂ、１０６ｂのうちの１つは、駆動要素４０ｂの回転方向に沿って見て、２個の締結要素１０２ｂ、１０４ｂ間に配置される。締結要素１０２ｂ、１０４ｂは、搬送スペース要素２０ｂへの搬送要素１６ｂの形状嵌めおよび圧力嵌め、あるいは形状嵌めまたは圧力嵌めの締結のために提供される。特に、締結要素１０２ｂ、１０４ｂは、搬送要素１６ｂと一体的に形成されるとともに、各場合に、締結ユニット１００ｂの、搬送スペース要素２０ｂに配置される締結凹部に係合する締結ウェブとして形成される（図６および図７）。しかし、締結要素１０２ｂ、１０４ｂが、当業者にとって好都合に思われる何らかの他の設計であることも考えられる。全体で、締結ユニット１００ｂは、６個の締結要素１０２ｂ、１０４ｂを有し、特に、各場合に、搬送スペース１２ｂ、１４ｂ、１８ｂ、９６ｂ、９８ｂ、１０６ｂのうちの１つは、駆動要素４０ｂの回転方向に沿って見て、締結要素１０２ｂ、１０４ｂの２個の間に配置される。
【００４４】
搬送要素１６ｂは、特に駆動ユニット３８ｂの駆動軸４６ｂに対して少なくとも実質的に垂直に延びる平面視で、環形状の断面を有する。搬送スペース１２ｂ、１４ｂ、１８ｂは、駆動ユニット３８ｂの駆動軸４６ｂに対して少なくとも実質的に垂直に延びる方向に沿って見て、搬送要素１６ｂと搬送スペース要素２０ｂとの間に配置される。搬送スペース要素２０ｂは、特に駆動ユニット３８ｂの駆動軸４６ｂに対して少なくとも実質的に垂直に延びる平面視で、多角形の設計を有する。搬送スペース要素２０ｂは中空であるように具現される。駆動要素４０ｂおよび搬送要素１６ｂは、搬送スペース要素２０ｂの内部スペースに配置される。搬送スペース要素２０ｂは、当業者に既知の方法でポンプ装置３６ｂのハウジングユニット（本明細書ではこれ以上詳細には示されない）内に回転的に固定して配置されることができる。駆動要素４０ｂは、ハウジングユニット内で回転可能に支持されることができる。
【００４５】
搬送装置１０ｂは、搬送スペース１２ｂ、１４ｂ、１８ｂ、９６ｂ、９８ｂ、１０６ｂあたり少なくとも１つの搬送スペース入口２２ｂ、２４ｂ、２６ｂを含む（図６には３つの搬送スペース入口２２ｂ、２４ｂ、２６ｂしか示されていない）。さらに、搬送装置１０ｂは、搬送スペース１２ｂ、１４ｂ、１８ｂ、９６ｂ、９８ｂ、１０６ｂあたり少なくとも１つの搬送スペース出口８８ｂ、９０ｂ、９２ｂを含む（図６には３つの搬送スペース出口８８ｂ、９０ｂ、９２ｂしか示されていない）。搬送媒体を搬送スペース１２ｂ、１４ｂ、１８ｂ、９６ｂ、９８ｂ、１０６ｂ内に、および搬送スペース１２ｂ、１４ｂ、１８ｂ、９６ｂ、９８ｂ、１０６ｂを通して、あるいは搬送スペース１２ｂ、１４ｂ、１８ｂ、９６ｂ、９８ｂ、１０６ｂ内に、または搬送スペース１２ｂ、１４ｂ、１８ｂ、９６ｂ、９８ｂ、１０６ｂを通して搬送するために、搬送要素１６ｂに対する、駆動ユニット３８ｂによって生成することができる駆動力の作用によって、進行波の移動を生成することができる（図８）。搬送装置１０ｂならびにポンプ装置３６ｂのさらなる特徴および機能に関して、図１〜図５の説明において記載されている搬送装置１０ｂおよびポンプ装置３６ａを参照することができる。
【符号の説明】
【００４６】
１０  搬送装置
１２  搬送スペース
１４  搬送スペース
１６  搬送要素
１８  搬送スペース
２０  搬送スペース要素
２２  搬送スペース入口
２４  搬送スペース入口
２６  搬送スペース入口
２８  搬送スペース入口
３０  搬送スペース入口
３２  搬送面
３４  壁
３６  ポンプ装置
３８  駆動ユニット
４０  駆動要素
４２  搬送要素
４４  搬送要素
４６  駆動軸
４８  搬送方向
５０  モーターユニット
５２  伝導要素
５４  伝導要素
５６  伝導要素
５８  伝導要素
６０  伝導要素
６２  搬送媒体貯蔵容器
６４  搬送媒体貯蔵容器
６６  搬送媒体貯蔵容器
６８  搬送媒体貯蔵容器
７０  搬送媒体貯蔵容器
７２  弁ユニット
７４  弁要素
７６  弁要素
７８  弁要素
８０  弁要素
８２  弁要素
８４  搬送スペース要素
８６  搬送スペース要素
８８  搬送スペース出口
９０  搬送スペース出口
９２  搬送スペース出口
９４  凹部
９６  搬送スペース
９８  搬送スペース
１００  締結ユニット
１０２  締結要素
１０４  締結要素
１０６  搬送スペース
１０８  ローターシャフト
【図１】
0006326556.tif 000002
【図２】
0006326556.tif 000003
【図３】
0006326556.tif 000004
【図４】
0006326556.tif 000005
【図５】
0006326556.tif 000006
【図６】
0006326556.tif 000007
【図７】
0006326556.tif 000008
【図８】
0006326556.tif 000009
【図９】
0006326556.tif 000010